(57)【特許請求の範囲】
【請求項１】
部分的に角度を異にすることによって図柄を表した万線模様、レリーフ模様、又は万線模様とレリーフ模様双方の凹版印刷隆起画線を有する基材上に、
ｉ）画線幅を変化させることで濃淡パターンを有する図柄を表した印刷画線を形成し、
ｉｉ）万線状に配列した点列の粗密及び／又は大小によって、濃淡パターンを有する図柄を表した印刷画線を形成し、
ｉｉｉ）万線状に配列した微小文字及び／又は万線状に配列した白抜き微小文字を、部分的又は連続的に微小文字の画線幅及び／又は字高を変化させることによって濃淡パターンを有する図柄を表した印刷画線を形成し、
上記ｉ）乃至上記ｉｉｉ）のいずれかの一つによって形成された上記印刷画線は、上記凹版印刷隆起画線の図柄を構成する部分以外の凹版印刷隆起画線を構成する部分に対して、平行又は傾斜を持たせて印刷されて成る特殊潜像模様形成体であって、
前記特殊潜像模様形成体を正面から観察すると、前記印刷画線で施した前記濃淡パターンを有する図柄が確認され、斜めから観察すると濃度差を有する前記凹版印刷隆起画線の図柄が確認できることを特徴とする特殊潜像模様形成体。
【請求項２】
上記印刷画線は、上記画線幅を段階的又は上記画線幅を連続的に変化させることで図柄を表していることを特徴とする請求項１記載の特殊潜像模様形成体。
【請求項３】
上記印刷画線は、基材の色以外の有色インキ、基材の色以外の有色の発光インキ、無色透明発光インキ又は基材の色の発光インキによって印刷されていることを特徴とする請求項１又は２記載の特殊潜像模様形成体。
【請求項４】
前記無色透明発光インキ又は前記基材の色の発光インキで上記印刷画線が印刷された場合において、
上記印刷画線の上又は下部に基材の色以外の有色インキで地紋画線が印刷されていることを特徴とする請求項３記載の特殊潜像模様形成体。
【請求項５】
上記印刷画線は、連続的に色を変化又は部分的に色を変化させて印刷されていることを特徴とする請求項１乃至４のいずれか１項に記載の特殊潜像模様形成体。
【請求項６】
上記凹版印刷隆起画線は、上記基材上に基材と同色又は近似色のインキにより凹版印刷されたものであることを特徴とする請求項１乃至５のいずれか１項に記載の特殊潜像模様形成体。
【発明の詳細な説明】
【０００１】
【発明の属する技術分野】
本発明は、銀行券、パスポート、有価証券、カード、貴重印刷物などの偽造防止及び改ざん防止が要求されるものに利用される特殊潜像模様形成体に関するものである。
【０００２】
【従来の技術】
銀行券、パスポート、有価証券、カード、貴重印刷物などは、その性質上、偽造及び改ざんされにくいことが要求される。印刷による視覚的な偽造防止策としては、網点の大小を利用したもの、モアレ模様を施したもの及び画線の方向とインキの盛り量とによる潜像凹版模様を施したものなどが公知である。
【０００３】
本発明者らは、凹版印刷により万線模様等の隆起した印刷をした基材上に、この隆起した印刷画線に対して平行又は傾斜をもって別の印刷画線を印刷し、基材に対して特定角度の方向から見たときに、潜像となる特定の文字、図柄などが認識できる偽造防止用潜像印刷物について、すでに特許を得ている（特許２６００００９４号公報参照。）
【０００４】
この従来例についてその概要を図１〜５を参照して説明する。隠蔽力のある白色の凹版インキで白色の紙５に凹版印刷を行い、部分的に角度を異にすることによって図柄を表した隆起した直線万線印刷画線６を形成する（図４参照）。直線万線印刷画線６が印刷された紙５上に、有色のインキによって一定間隔の直線で構成された直線万線画線２（図１）を印刷し、潜像印刷物が形成される。
【０００５】
この潜像印刷物は、正面から観察すると図２に示すように、有色の万線画線２しか認識できないが、斜めの方向から観察すると、部分的に角度を異にすることによって図柄を表した隆起した直線万線印刷画線６と直線万線画線２のなす角度の異なる部分で図柄を表した潜像模様（図３参照）が容易に確認できる。
【０００６】
凹版印刷によりレリーフ模様の隆起した印刷画線を基材上に形成し、この基材上に直線万線画線を印刷して潜像印刷物が形成した場合は、斜めの方向から観察すると、部分的に角度を異にすることによって潜像となる図柄を表したレリーフ模様の隆起した直線万線印刷画線６と直線万線画線２のなす角度の異なる部分でレリーフの潜像模様（図５参照）が容易に確認できる。
【０００７】
【発明が解決しようとする課題】
上記一般的に公知な従来の技術の偽造防止手段は、図柄が平坦で効果を発揮するために比較的広い範囲を必要とし、また、類似的な画線構成を施すことができるため真偽判別にはルーペ等の簡易な器具を必要とすることなどから、完全な偽造防止手段とはなりにくくなってきている。
【０００８】
又、上記特殊潜像模様関連の特許では、基材に対する観察の角度を変えることにより、特殊潜像模様を現出させるという点で、偽造防止効果は大きい。しかしながら、潜像効果を発現するために付与する印刷画線は万線、波線等の単調なデザインであるため、印刷画線の複製は容易であること、銀行券、諸証券等の限られた面積に偽造防止技術を付与すると特殊潜像模様の付与可能なエリアが小さくなり、特殊潜像模様印刷物並びに特殊潜像模様形成体の特徴である潜像を効果的に発現することは困難である。
【０００９】
本発明は、上記従来の問題点を解決することを目的とするものであり、基本的には、特許２６００００９４号の潜像印刷物を改良する発明であり、特殊潜像模様形成体における印刷画線をその幅、大きさ、種類等を含む形状、色等を多様化して、印刷画線に特殊な効果の付与や有形なデザインを付与すること等を可能にすることで、特殊潜像模様に階調を付与する等として多様化し、偽造、変造、改竄等しにくい、偽造防止効果を高めた特殊潜像模様形成体を実現することを課題とする。
【００１０】
【課題を解決するための手段】
本発明は上記課題を解決するために、部分的に角度を異にすることによって図柄を表した万線模様、レリーフ模様、又は万線模様とレリーフ模様双方の凹版印刷隆起画線を有する基材上に、画線幅を変化させることで図柄を表した印刷画線を、上記凹版印刷隆起画線の図柄を構成する部分以外の凹版印刷隆起画線を構成する部分に対して、平行又は傾斜を持たせて印刷されて成ることを特徴とする特殊潜像模様形成体を提供する。この印刷画線は、上記画線幅を段階的に変化させることで図柄を表す構成としてもよい。又、この印刷画線は、上記画線幅を連続的に変化させることで図柄を表す構成してもよい。
【００１１】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した点列の粗密によって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１２】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した点列の大小によって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１３】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した点列の粗密及び大小によって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１４】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した微小文字の印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１５】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した白抜き微小文字の印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１６】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した微小文字、万線状に配列した白抜き微小文字、又は微小文字と白抜き微小文字双方を、部分的又は連続的に微小文字の画線幅を変化させることによって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１７】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した微小文字、万線状に配列した白抜き微小文字、又は微小文字と白抜き微小文字双方を、部分的又は連続的に微小文字の字高を変化させることによって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体を提供する。
【００１８】
さらに、本発明は上記課題を解決するために、部分的に角度を異にすることによって図柄を表した万線模様、レリーフ模様、又は万線模様とレリーフ模様双方の凹版印刷隆起画線を有する基材上に、万線状に配列した微小文字、万線状に配列した白抜き微小文字、又は微小文字と白抜き微小文字双方を、部分的又は連続的に微小文字の画線幅を変化させ、且つ、字高を変化させることによって図柄を表した印刷画線を、上記凹版印刷隆起画線の図柄を構成する部分以外の凹版印刷隆起画線を構成する部分に対して平行又は傾斜を持たせて印刷することを特徴とする特殊潜像模様形成体提供する。
【００１９】
以上の特殊潜像模様形成体の印刷画線は、基材の色以外の有色インキ、基材の色以外の有色の発光インキ、又は無色透明若しくは基材の色の発光インキによって印刷されていることを特徴とする。そして、これらのインキで印刷する場合に、さらに、印刷画線は、部分的又は連続的に色を変化させて印刷されるようにしてもよい。
【００２０】
この部分的又は連続的に色を変化させる場合は、印刷画線は、部分的に色を変化させて印刷される際に、各色ごとにその色に相当する領域のみからなる部分版に着肉したものを同一の集合版に集合した後に、すべてのインキを同時に印刷版面に転移させて、部分的に色を変化させて印刷されるようにしてもよい。
【００２１】
透明の発光インキで印刷する場合は、印刷画線の上又は下部に基材の色以外の有色インキで地紋画線が印刷されている構成としてもよい。
【００２２】
さらに、本発明は上記課題を解決するために、部分的に角度を異にすることによって図柄を表した万線模様、レリーフ模様、又は万線模様とレリーフ模様双方の凹版印刷隆起画線を有する基材上に、一定間隔を持つ万線、万線状の点列、又は万線と万線状の点列双方から成る印刷画線を、上記凹版印刷隆起画線の図柄を構成する部分以外の凹版印刷隆起画線を構成する部分に対して平行又は傾斜を持たせて連続的に色を変化させて印刷することを特徴とする特殊潜像模様形成体を提供する。この印刷画線は、基材の色以外の有色インキ又は基材の色以外の有色の発光インキによって印刷されている構成としてもよい。
【００２３】
さらに、本発明は上記課題を解決するために、部分的に角度を異にすることによって図柄を表した万線模様、レリーフ模様、又は万線模様とレリーフ模様双方の凹版印刷隆起画線を有する基材上に、一定間隔を持つ万線、万線状の点列、又は万線と万線状の点列双方から成る印刷画線を、上記凹版印刷隆起画線の図柄を構成する部分以外の凹版印刷隆起画線を構成する部分に対して平行又は傾斜を持たせて部分的に色を変化させて印刷することを特徴とする特殊潜像模様形成体を提供する。この印刷画線は、基材の色以外の有色インキ又は基材の色以外の有色の発光インキによって印刷されている構成としてもよい。
【００２４】
さらに、本発明は上記課題を解決するために、部分的に角度を異にすることによって図柄を表した万線模様、レリーフ模様、又は万線模様とレリーフ模様双方の凹版印刷隆起画線を有する基材上に、一定間隔を持つ万線、万線状の点列、又は万線と万線状の点列双方から成る印刷画線を、上記凹版印刷隆起画線の図柄を構成する部分以外の上記凹版印刷隆起画線を構成する部分に対して平行又は傾斜を持たせて無色透明の発光インキによって印刷することを特徴とする特殊潜像模様形成体を提供する。この場合、上記印刷画線の上又は下部に地紋画線を印刷する構成としてもよい。
【００２５】
以上の特殊潜像模様形成体の凹版印刷隆起画線は、上記基材上に基材と同色又は近似色のインキで凹版印刷されたものであることを特徴とする。
【００２６】
【発明の実施の形態】
本発明に係る特種特殊潜像模様形成体の実施の形態を基本的な構成を説明してから実施例に基づいて図面を参照して説明する。
【００２７】
（基本的構成）
本発明に係る特殊潜像模様形成体は、基本的には凹版で印刷され、部分的に角度を異にすることで図柄を表した万線模様又はレリーフ模様、又は双方の模様の凹版印刷隆起画線（凹版で印刷された断面凸状の隆起画線を、本明細書では「凹版印刷隆起画線」と言う。）を有する紙、金属、合成樹脂等の基材を利用し、この基材上に万線、点列、文字列等の印刷画線を印刷して成る特殊潜像模様形成体である。
【００２８】
図６〜８は、本発明に係る特殊潜像模様形成体の基本的構成を説明する図である。図６において、特殊潜像模様形成体１８−１の基本要素となる構成は、基材５の表面に形成された万線模様の凹版印刷隆起画線７と、凹版印刷隆起画線７に対してその上面から印刷された万線状の印刷画線１０（万線画線）とから成る。
【００２９】
この凹版印刷隆起画線７は、部分的に角度を異にすることで図柄を表した万線模様又はレリーフ模様、又は万線模様とレリーフ模様双方の模様で構成された凹版版面を用いて、基材５と同色又は近似した色の凹版インキにより隆起して印刷されたものである。一方、万線、点列、文字列等の印刷画線は、本発明では、幅、粗密、大小、字高、色等をいろいろと変えて階調を付与して多様化したことを特徴としている。
【００３０】
さらに、この凹版印刷隆起画線７は、その長手方向に対して部分的に角度を異にすることによって図柄を表している。図６の例では、凹版印刷隆起画線７は、基本となる直線部７’と、左右の屈曲部（この屈曲部が本発明の「部分的に角度を異にする部分」に相当する。）６と、上部の直線部６’とから成る。図６の部分的に角度を異にする部分６が、特殊潜像模様形成体１８−１の中で潜像模様の付与される領域全体に適宜配列されて、その領域全体として図柄（この全体の図柄自体は図示しない。）が表される。
【００３１】
印刷画線１０は、凹版印刷隆起画線７の万線模様において、部分的に角度を異にする部分６があるが、この部分６により凹版印刷隆起画線７の図柄を構成している。この部分的に角度を異にする部分６以外の凹版印刷隆起画線７を構成する部分（凹版印刷隆起画線７の直線部７’）に平行に、印刷画線１０が印刷される。なお、印刷画線を直線部７’に平行ではなく、傾斜を持たせて印刷する構成も考えられる。
【００３２】
この特殊潜像模様形成体１８−１の作用を説明する。図７は作用を説明する図であり、図８は斜めから観察した結果見える特殊潜像模様１１を示す図である。図７において、図７（ａ）に示す凹版印刷隆起画線７のＡ−Ａ、Ｂ−Ｂ、Ｃ−Ｃの断面を、夫々図７（ｂ）〜（ｄ）に示す。図７（ｂ）〜（ｄ）において、夫々右上に示す一対の矢印で挟む寸法ｗは、後述するように、特殊潜像模様形成体１８−１を斜めから観察した場合の印刷画線１０の視認可能な画線幅（見掛け上の画線幅）を示すものである（図１０、１３、１６についても同じ。）。
【００３３】
今、特殊潜像模様形成体１８−１を正面から観察する（図７（ａ）では紙面に対して正面前方）と、凹版印刷隆起画線７は見ることができず、図８（ａ）に示すように、図７（ａ）と同じ状態の印刷画線１０が見える。
【００３４】
そして、この特殊潜像模様形成体１８−１を、凹版印刷隆起画線７が全体として伸びる方向（部分的に角度の異なる方向ではない。図６中ではその左右方向。）に直交する方向であって特殊潜像模様形成体の面に対して斜めの方向から観察（本明細書ではこれを、「斜めから観察」という。図７（ａ）では下側の手前斜めから観察、図７（ｂ）〜（ｄ）では図面右斜め上方から観察。）すると、図７（ｂ）で断面を示す印刷画線１０の領域では、凹版印刷隆起画線７の凸条部９の陰となって、印刷画線１０が見えなくなる。
【００３５】
図７（ｃ）で断面を示す印刷画線１０の領域では、凹版印刷隆起画線７の凸条部９を乗り越えている状態であり、印刷画線１０の長さ方向によって印刷画線１０の視認可能な画線幅ｗが異なる。図７（ｄ）で断面を示す印刷画線１０の領域では、印刷画線１０は完全に見えるが斜めから観察するのでその視認可能な画線幅ｗは若干小さい。
【００３６】
結局、この特殊潜像模様形成体１８−１を斜めから観察すると、印刷画線１０は、図８（ｂ）で示すように見えることとなる。しかしながら、印刷画線１０自体は極細いものであるから、実際に人が観察すると画線幅までは認識できるものではなく、図８（ｃ）に示すように印刷画線１０の濃度変化（これを、「見かけ上の濃度変化」という。）として視認できる。このように、特殊潜像模様形成体１８−１を斜めから観察すると、印刷画線の見掛け上の濃度変化によって、特殊潜像模様形成体１８−１には全体として階調を伴う縞模様の特殊潜像模様１１が視認できる。
【００３７】
このような基本構成により、本発明に係る特殊潜像模様形成体は、正面から観察した場合には、万線模様又はレリーフ模様、又は万線模様とレリーフ模様双方の模様の凹版印刷隆起画線は、基材と同色又は近似のために認識できず、万線、点列、文字列等の印刷画線を基材と異なる色で印刷した場合に認識できる。
【００３８】
しかし、特殊潜像模様形成体を斜めから観察した場合には、凹版印刷隆起画線で万線、点列、文字列等の印刷画線が部分的に見えなくなり特殊潜像が生じ、これに加え、さらに本発明では万線、点列、文字列等の印刷画線を変えることで、さらに階調が付与されて多様化した特殊潜像が生じ、認識できる。
【００３９】
（発明の構成、作用）
本発明に係る特殊潜像模様形成体は、上記のような基本的構成を発展させて、特に万線模様の凹版印刷隆起画線７上に印刷される、印刷画線１０を単純な線から成る画線ではなく、その形状（幅、点列、文字等）や、色、印刷法を多様化し工夫をこらすことによって、正面から観察したときに有意性のある図柄を形成し、また、斜めから観察した際に、さらに複雑な階調を付与して多様化した潜像を発生させ、真偽判別効果及び偽造防止機能を一層高めることのできる構成を特徴とする。
【００４０】
このように、本発明では、印刷画線を特殊な構成とすることで、従来の特殊潜像模様形成体の偽造防止機能をさらに向上している。そこで、以下、印刷画線について説明するが、以下その全体を総覧する。
【００４１】
（１）互いに画線幅の異なる複数の印刷画線をいろいろと組み合わせることで図柄を表した印刷画線を形成する。又、複数の印刷画線の夫々の画線幅を、段階的又は連続的に変化させることで図柄を表した印刷画線を形成する。
（２）万線状に配列した点列の粗密、大小、又は粗密と大小双方により図柄を表した印刷画線を形成する。
（３）万線状に配列した微小文字、白抜き微小文字、又は微小文字と白抜き微小文字双方における微小文字の画線幅、字高、又は画線幅と字高双方により図柄を表した印刷画線を形成する。
（４）印刷画線は、次のような次のインキにより印刷される。
▲１▼基材の色以外の有色インキ
▲２▼基材の色以外の有色の発光インキ
▲３▼無色透明又は基材と同色の発光インキ
（５）さらに、印刷画線は次のように印刷される。
▲１▼連続的色変化。これは、１本の印刷画線についてその長手方向に異なる色が連続的に変化する構成、あるいは複数の印刷画線にわたって異なる色が連続的に変化する構成である。
▲２▼部分的色変化。これは、印刷画線が部分的に異なる色で構成されたものである。これには、色の異なる画線部を刷り合わせて接し、画線に沿って部分的に色が異なる構成と、各色毎にその色に相当する領域のみから成る部分着肉したものを同一の集合版に集合した後に、すべてのインキを同時に印刷版面に転移させて、部分的に色を変化させてなる構成とがある。
【００４２】
このように、基材に形成された凹版印刷隆起画線に対して、多様化された印刷画線を組み合わせることにより、より真偽判別効果及び偽造防止効果に優れた特殊潜像模様形成体が構成される。その構成及び作用について、図９〜１７で詳細に説明する。この説明では、説明を簡単にするために凹版印刷隆起画線７に対して、印刷画線の幅が異なったり、変化したりする、一様ではない多様化した印刷画線を印刷した例で説明する。
【００４３】
図９〜１１は、特殊潜像模様形成体の印刷画線１２の画線幅を、図６に示す印刷画線１０より広くした構成及びその作用を説明する図である。図９において、この特殊潜像模様形成体１８−２では、基材５上に図６と同じ凹版印刷隆起画線７が形成されている。そして、凹版印刷隆起画線７に沿い、且つその部分的に角度を異なる部分６を乗り越えて横切るように、図６に示す印刷画線１０より幅の広い印刷画線１２が印刷されている。
【００４４】
この特殊潜像模様形成体１８−２の作用を説明する。図１０は作用を説明する図であり、図１１は、この特殊潜像模様形成体を斜めから観察した結果見える特殊潜像模様１３を示す図である。図１０において、図１０（ａ）に示す凹版印刷隆起画線７のＡ−Ａ、Ｂ−Ｂ、Ｃ−Ｃの断面を、夫々図１０（ｂ）〜（ｄ）に示す。今、特殊潜像模様形成体１８−２を正面から観察すると、図１１（ａ）に示すように、図１０（ａ）と同じ状態で印刷画線１２が見える。
【００４５】
そして、この特殊潜像模様形成体１８−２を斜めからから観察すると、図１０（ｂ）で断面を示す印刷画線１２の領域では、凹版印刷隆起画線７の凸条部により陰となるが、幅が図６に比較する広いために、印刷画線１２の僅かの部分が見える。
【００４６】
図１０（ｃ）で断面を示す印刷画線１２の領域では、凹版印刷隆起画線７の凸条部９を印刷画線１２が乗り越えている状態であり、印刷画線１２の長さ方向によって印刷画線１２の見える幅が異なるが、その画線幅は図６の印刷画線１０の画線幅より広いために、図７（ｃ）に比べるとより多くの部分が見える。図１０（ｄ）で断面を示す印刷画線１２の領域では、印刷画線１２は完全に見えるが斜めから観察するので、その視認可能な画線幅ｗは正面から見た場合より若干小さくなる。しかし、図７（ｄ）の場合より画線幅は広く見える。
【００４７】
結局、この特殊潜像模様形成体１８−２を斜めから観察すると、印刷画線１２は、図１１（ｂ）で示すよう見えることとなる。しかしながら、印刷画線１２自体は極細いものであるから、実際に人が観察すると画線幅までは認識できるものではなく、図１１（ｃ）に示すように印刷画線の見掛け上の濃度変化（階調変化）として視認できる。
【００４８】
このように、図６（ａ）のような幅の狭い印刷画線１０を有する特殊潜像模様形成体１８−１と図９（ａ）のような幅の広い印刷画線１２を有する特殊潜像模様形成体１８−２とでは、斜めから観察すると、生じる印刷画線の濃度変化が互いに相違し、観察できる特殊潜像模様形成体は全体として異なった階調変化を有する縞模様の潜像模様が視認できる。
【００４９】
これを利用して、基材５上に形成された凹版印刷隆起画線７上に、作為的に互いに幅の異なる複数の印刷画線を印刷することで、特殊潜像模様１１にさらに複雑な階調を付与して真偽判別効果及び偽造防止効果を高めることも可能である。
【００５０】
図１２〜１４は、特殊潜像模様形成体の印刷画線の画線幅を段階的に変化させた構成及びその作用を説明する図である。図１２において、この特殊潜像模様形成体１８−３では、基材５上に図６と同じ凹版印刷隆起画線７が形成されている。そして、凹版印刷隆起画線７に沿い、且つその部分的に角度を異なる部分６を乗り越えて横切るように、太幅部と細幅部が組み合わされた画線幅を段階的に変化した印刷画線１４が印刷されている。
【００５１】
図１３は、この特殊潜像模様形成体の作用を説明する図であり、図１４は、この特殊潜像模様形成体１８−３を斜めから観察した結果見える特殊潜像模様１５を示す図である。図１３（ａ）に示す凹版印刷隆起画線７のＡ−Ａ、Ｂ−Ｂ、Ｃ−Ｃ、Ｄ−Ｄ、Ｅ−Ｅの断面を、夫々図１３（ｂ）〜（ｆ）に示す。今、特殊潜像模様形成体を正面から観察すると、凹版印刷隆起画線７は見ることができず、図１４（ａ）に示すように、図１３（ａ）と同じ状態で印刷画線１４が見える。
【００５２】
そして、この特殊潜像模様形成体１８−３を斜めから観察すると、図１３（ｂ）で断面を示す印刷画線１４の領域では、凹版印刷隆起画線７の凸条部９により陰となり印刷画線１４は見えない。図１３（ｃ）で断面を示す印刷画線１４の領域では、凹版印刷隆起画線７の凸条部９により陰となり印刷画線１４は僅かに見える。
【００５３】
図１３（ｄ）で断面を示す印刷画線１４の領域では、凹版印刷隆起画線７の凸条部９を印刷画線１４が乗り越えている状態であり、印刷画線１４の長さ方向によって印刷画線１４の視認可能な画線幅が異なる。図１３（ｅ）で断面を示す印刷画線１４の領域では、印刷画線１４は一部凸条部９上にかかっている状態であり、印刷画線１４は、この一部凸条部９上にかかっている部分も含めて全面が観察できる。
【００５４】
図１３（ｆ）で断面を示す印刷画線１４の領域では、印刷画線１４が凹版印刷隆起画線７の凸条部９により隠れることがないが、斜めから観察した分だけ画線幅が狭く見える。図１３（ｅ）の場合の方が、一部凸条部９上にかかっている観察側の部分が全面的に見えるから、図１３（ｆ）の場合より印刷画線の画線幅がより広く見える。
【００５５】
結局、この特殊潜像模様形成体１８−３を斜めから観察すると、印刷画線１４について、図１４（ｂ）で示すような潜像１５が見えることとなる。しかしながら、印刷画線１４自体は極細いものであるから、実際に人が観察するとその画線幅ｗの変化までは認識できるものではなく、図１４（ｃ）に示すように印刷画線１４の濃度変化として視認できる。
【００５６】
これにより、図１２のように、特殊潜像模様形成体１８−３の印刷画線１４の画線幅を段階的に変化させると、印刷画線の画線幅が単一の場合に比べて、印刷画線１４の濃度変化が複雑となり、複雑な階調を伴う独特の縞模様の潜像模様１５が視認でき、真偽判別効果及び偽造防止効果を一層高めることができる。
【００５７】
図１５〜１７は、特殊潜像模様形成体の印刷画線の画線幅を連続的に変化させた構成及びその作用を説明する図である。図１５において、この特殊潜像模様形成体１８−４では、基材５上に図６と同じ凹版印刷隆起画線７が形成されている。そして、凹版印刷隆起画線７に沿い、且つその部分的に角度を異なる部分６を乗り越えて横切るように、画線幅が太幅部と細幅部に連続的に変化した印刷画線１６が印刷されている。
【００５８】
図１６は、この特殊潜像模様形成体１８−４の作用を説明する図であり、図１７は、この特殊潜像模様形成体１８−４を斜めから観察した結果見える特殊潜像模様１７を示す図である。図１６（ａ）に示す凹版印刷隆起画線７のＡ−Ａ、Ｂ−Ｂ、Ｃ−Ｃ、Ｄ−Ｄ、Ｅ−Ｅ、Ｆ−Ｆの断面を、夫々図１６（ｂ）〜（ｇ）に示す。今、特殊潜像模様形成体を正面から観察すると、凹版印刷隆起画線７は見ることができず、図１７（ａ）に示すように、図１６（ａ）と同じ状態で印刷画線１６が見える。
【００５９】
そして、この特殊潜像模様形成体１８−４を斜めから観察すると、印刷画線１６はその領域ごとに凹版印刷隆起画線７の凸条部９により見え方が異なってくる。その観察と見え方のメカニズムは、図１３に示す場合と同じ考え方であるからここでは省略するが、要するに、図１６（ｂ）〜（ｇ）に示すように、印刷画線１６はその長手方向の領域の夫々において、凹版印刷隆起画線７の凸条部９の陰となって全部又は一部しか見えなかったり、あるいは全面が見えるが斜めから観察した分だけ見える幅が減少したり、あるいは凸条部９に乗り上げた観察側の部分が全面的に見えたりする。そして、印刷画線１６の長手方向の領域において夫々視認可能な画線幅（見掛け上の画線幅）は、図１６（ｂ）〜（ｇ）の右上に示す寸法ｗのとおりである。
【００６０】
結局、この特殊潜像模様形成体を斜めから観察すると、印刷画線１６は図１７（ｂ）で示すように見えることとなる。しかしながら、印刷画線１６自体は極細いものであるから、実際に人が観察するとその画線幅ｗの変化までは認識できるものではなく、図１７（ｃ）に示すように印刷画線１６の濃度変化として視認できる。
【００６１】
これにより、図１５のように、特殊潜像模様形成体１８−４の印刷画線１６の画線幅を連続的に変化させると、印刷画線の画線幅が単一の場合に比べて、印刷画線１６の濃度変化がより複雑となり、複雑な階調変化を伴う独特の縞模様の潜像模様１７が視認でき、真偽判別効果及び偽造防止効果を一層高める。
【００６２】
以上、印刷画線の画線幅を変えることにより特殊潜像模様をより複雑な階調を付与する構成を説明したが、図６〜１７に示す印刷画線の画線幅を変化する構成を組み合わせることで、特殊潜像模様の図柄が所定の図柄となり、しかも複雑な階調を有する図柄となるようにすることができる。これによって、特殊潜像模様形成体１８を斜め前方から観察し、特殊潜像模様を確認することで、その真偽判別を簡単に行うことができる。
【００６３】
ところで、上記説明では、基材及び印刷画線については、比較的分かりやすい例として、基材５については万線模様の凹版印刷隆起画線を有するものとし、印刷画線については、画線幅を段階的に変化させることで図柄を表した印刷画線として説明した。
【００６４】
しかしながら、基材としては、レリーフ模様、又は万線模様とレリーフ模様の双方の凹版印刷隆起画線部をスクリーン印刷、発砲印刷等の隆起可能な印刷方式で印刷した基材を利用してもよい。又、印刷画線としては、万線状に配した点列、文字等から成る印刷画線を利用してもよい。このような場合についても、具体的な説明は省略するが、斜めから観察すると、万線状の点列、文字等の模様の印刷画線が、基材のレリーフ及び／又は万線模様の隆起画線部と互いに交差して万線画線と同様に縞模様を生じ、さらに印刷画線の部分々々の形状により部分的に見えたり見えなかったりして、特殊潜像模様が認識でき、この結果偽造防止機能を生じる。
【００６５】
以下、本発明に係る特殊潜像模様形成体の実施例を説明する。これらの実施例は、いずれも万線模様の隆起画線部が、基材５と同色又は近似した色の凹版インキにより隆起するように凹版印刷された基材上に、上記総覧した印刷画線を印刷して成る特殊潜像模様形成体である。
【００６６】
（実施例１）
図１８は、本発明の実施例１を説明する図である。基材１９の表面には、図６で示したものと同様の万線模様の凹版印刷隆起画線（図示せず）が付与されている。図１８に示すように、画線幅２０を段階的に変化させることで図柄を表した印刷画線（万線画線）２１を、凹版印刷隆起画線の図柄を構成する部分以外の万線模様の凹版印刷隆起画線（具体的には、図６の直線部７’。以下の実施例でも同じ。）に平行に印刷する。これにより特殊潜像模様形成体２２が形成される。
【００６７】
この実施例１の特殊潜像模様形成体２２を正面から観察すると、図１８と同じ印刷画線２１による図柄が見えるが、斜めから観察すると、上記図１２に示す印刷画線の画線幅が段階的に異なる構成について説明したように、凹版印刷隆起画線の凸条部によって印刷画線２１の見えない部分が生じ、しかも印刷画線２１の幅の相違によって、この見えない部分の大きさに大小が生じる。この結果、図１４で説明したような印刷画線２１に見掛け上の濃度差が生じ、全体として階調のある縞模様から成る所定の特殊潜像模様が認識できる。
【００６８】
このように、特殊潜像模様形成体２２を斜めから観察することにより、所定の特殊潜像模様が生じるか否かで真偽判別を可能とする。なお、上記実施例１では、凹版印刷隆起画線の図柄を構成する部分以外の万線模様の凹版印刷隆起画線（基本的構成で示すと図６中の７’に相当する。この点は、以下の実施例でも同じ。）に対して印刷画線２１を平行に印刷しているが、平行ではなく傾斜を持たせて印刷画線を印刷することにより特殊潜像模様形成体を形成してもよい。
【００６９】
（実施例２）
図１９は、本発明の実施例２を説明する図である。基材１９の表面には、図６で示したものと同様の万線模様の凹版印刷隆起画線（図示せず）が付与されている。この実施例２は、実施例１とほぼ同じであるが、印刷画線２３の画線幅を連続的に変化させている点が特徴である。これにより、階調画像（階調を有する図柄）を表した印刷画線２３を、凹版印刷隆起画線の図柄を構成する部分以外の万線模様の凹版印刷隆起画線に平行に印刷し、特殊潜像模様形成体２４が形成されている。
【００７０】
この実施例２の特殊潜像模様形成体２４を正面から観察すると、図１９に示す印刷画線２３が見え、斜めから観察すると、図１５に示す印刷画線の画線幅が連続的に異なる構成について説明したように、凹版印刷隆起画線の凸条部によって印刷画線２３の見えない部分が生じ、しかも印刷画線２３の幅の相違によって、視認可能な画線幅に大小が生じる。この結果、印刷画線２３に見掛け上の濃度差が生じ、全体として階調のある縞模様から成る所定の特殊潜像模様が認識できる。
【００７１】
このように、特殊潜像模様形成体２２を斜めから観察することにより、所定の特殊潜像模様が生じるか否かで真偽判別を可能とする。なお、上記実施例２では、凹版印刷隆起画線の図柄を構成する部分以外の万線模様の凹版印刷隆起画線に対して印刷画線２３を平行に印刷しているが、平行ではなく傾斜を持たせて印刷画線を印刷することにより特殊潜像模様形成体を形成してもよい。
【００７２】
（実施例３）
図２０は、本発明の実施例３を説明する図である。基材１９の表面には、図６で示したものと同様の万線模様の凹版印刷隆起画線（図示せず）が付与されている。図２０に示すように、万線状に配列した点列２５の粗密によって図柄を表した印刷画線２６を、凹版印刷隆起画線の図柄を構成する部分以外の凹版印刷隆起画線を構成する部分に対して平行に、印刷して、特殊潜像模様形成体２７が形成される。
【００７３】
この実施例３の特殊潜像模様形成体２７を正面から観察すると、図２０に示す点列２５の粗密によって図柄を表した印刷画線２６が見える。これを斜めから観察すると、実施例１と同様に、凹版印刷隆起画線の凸条部によって印刷画線２６の見えない部分が生じ、しかも印刷画線２６の点列の粗密状態の相違によって、この見えない部分の大きさに大小が生じる。この結果、印刷画線２３に見掛け上の濃度差が生じ、全体として階調のある縞模様から成る所定の特殊潜像模様が認識できる。
【００７４】
このように、特殊潜像模様形成体２７を斜めから観察することにより、所定の特殊潜像模様が生じるか否かで真偽判別を可能とする。上記実施例３は、万線模様の凹版印刷隆起画線に対して点列の粗密状態により図柄を表す印刷画線２６を平行に印刷したが、凹版印刷隆起画線の図柄を構成する部分以外の凹版印刷隆起画線を構成する部分に対して傾斜を持たせて印刷することにより特殊潜像模様形成体を形成してもよい。
【００７５】
（実施例４）
図２１は、本発明の実施例４を説明する図である。基材１９の表面には、図６で示したものと同様の万線模様の凹版印刷隆起画線（図示せず）が付与されている。図２１に示すように、万線状に配列した点列２８の大小によって図柄を表した印刷画線２９を、凹版印刷隆起画線の図柄を構成する部分以外の凹版印刷隆起画線を構成する部分に対して、平行に印刷して、特殊潜像模様形成体３０が形成される。
【００７６】
この実施例４の特殊潜像模様形成体３０を正面から観察すると、図２１に示すような図柄を表した印刷画線２９が見える。これを斜めから観察すると、実施例１と同様に、凹版印刷隆起画線の凸条部によって印刷画線２９の見えない部分が生じ、しかも印刷画線２９の点列２８の大小の相違によって、この視認可能な画線幅に大小が生じる。この結果、印刷画線２９に見掛け上の濃度差が生じ、全体として階調のある縞模様から成る所定の特殊潜像模様が認識できる。
【００７７】
このように、特殊潜像模様形成体３０を斜めから観察することにより、所定の特殊潜像模様が生じるか否かで真偽判別を可能とする。上記実施例４は、万線模様の凹版印刷隆起画線に対して点列２８の大小により図柄を表す印刷画線２９を平行に印刷したが、凹版印刷隆起画線の図柄を構成する部分以外の凹版印刷隆起画線を構成する部分に対して傾斜を持たせて印刷することにより特殊潜像模様形成体３０を形成してもよい。
【００７８】
（実施例５）
図２２は、本発明の実施例５を説明する図である。基材１９の表面には、図６で示したものと同様の万線模様の凹版印刷隆起画線（図示せず）が付与されている。図２２に示すように、万線状に配列した点列３１の粗密と大小双方によって図柄を表した印刷画線３２を、凹版印刷隆起画線の図柄を構成する部分以外の凹版印刷隆起画線を構成する部分に対して平行に印刷して、特殊潜像模様形成体３３が形成される。
【００７９】
この実施例５の特殊潜像模様形成体３３を正面から観察すると、図２２に示す点列の粗密と大小双方によって図柄を表した印刷画線３２が見える。これを斜めから観察すると、実施例１と同様に、凹版印刷隆起画線の凸条部によって印刷画線３２の見えない部分が生じ、しかも印刷画線３２の点の粗密と大小双方の相違によって、この視認可能な画線幅に大小が生じる。この結果、印刷画線３２に見掛け上の濃度差が生じ、全体として階調のある縞模様から成る所定の特殊潜像模様が認識できる。
【００８０】
このように、特殊潜像模様形成体３３を斜めから観察することにより、所定の特殊潜像模様が生じるか否かで真偽判別を可能とする。上記実施例５は、万線模様の凹版印刷隆起画線に対して点列３１の疎密と大小の組み合わせにより図柄を表す印刷画線３２を、凹版印刷隆起画線の図柄を構成する部分以外の凹版印刷隆起画線を構成する部分に対して平行に印刷したが、凹版印刷隆起画線の図柄を構成する部分以外の凹版印刷隆起画線を構成する部分に対して傾斜を持たせて印刷することにより特殊潜像模様形成体を形成してもよい。
【００８１】
（実施例６）
図２３は、本発明の実施例６を説明する図である。基材１９の表面には、図６で示したものと同様の万線模様の凹版印刷隆起画線（図示せず）が付与されている。この基材１９の表面の凹版印刷隆起画線を構成する部分に対して、図２３に示すように、万線状に配列した微小文字（NIPPON）の印刷画線３４を平行に印刷して、特殊潜像模様形成体３５が形成される。
【００８２】
この実施例６の特殊潜像模様形成体３５を正面から観察すると、図２３に示す微小文字の印刷画線３４が見える。これを斜めから観察すると、実施例１と同様に、凹版印刷隆起画線の凸条部によって印刷画線３４の見えない部分が生じ、この結果、図６に示す基本構成で説明したと同様に、印刷画線３４に見掛け上の濃度差が生じ、全体として階調のある縞模様から成る所定の特殊潜像模様が認識できる。
【００８３】
このように、特殊潜像模様形成体３５を斜めから観察することにより、所定の特殊潜像模様が生じるか否かで真偽判別を可能とする。そして、このように凹版印刷隆起画線上に微小文字の印刷画線３４を複写すると、微小文字はつぶれてしまう、特に印刷画線３４が凹版印刷隆起画線と交叉する部分は、凹版印刷隆起画線の凸条部による乱反射によって微小文字は複写されない。従って、偽造防止効果がきわめて高い。
【００８４】
上記実施例６は、万線模様の凹版印刷隆起画線に対して微小文字の印刷画線３４を、凹版印刷隆起画線の図柄を構成する部分以外に対して、平行に印刷したが、傾斜を持たせて印刷画線を印刷することにより特殊潜像模様形成体を形成してもよい。
【００８５】
（実施例７）
図２４は、本発明の実施例７を説明する図である。基材１９の表面には、図６で示した同様の万線模様の凹版印刷隆起画線が付与されている。この基材１９の表面の凹版印刷隆起画線を構成する部分に対して、図２４に示すように、万線状に配列した白抜き微小文字の印刷画線３６を平行に印刷して、特殊潜像模様形成体３７が形成される。
【００８６】
この実施例７の特殊潜像模様形成体３７を正面から観察すると、図２４に示す万線状に配列した白抜き微小文字の印刷画線３６が見える。これを斜めから観察すると、実施例１と同様に、凹版印刷隆起画線の凸条部によって印刷画線３６の見えない部分が生じ、この結果、図６に示す基本構成で説明したものと同様に、印刷画線３６に見掛け上の濃度差が生じ、全体として階調のある縞模様から成る所定の特殊潜像模様が認識できる。
【００８７】
このように、特殊潜像模様形成体３７を斜めから観察することにより、所定の特殊潜像模様が生じるか否かで真偽判別を可能とする。なお、実施例７も実施例６同様に、複写機を利用しても微小文字は正確に複写されないから、この点でも偽造防止効果がすぐれている。
【００８８】
上記実施例７は、万線模様の凹版印刷隆起画線に対して、万線状に配列した白抜き微小文字の印刷画線３６を平行に印刷したが、凹版印刷隆起画線の図柄を構成する部分以外の万線模様の凹版印刷隆起画線に対して、傾斜を持たせて印刷画線を印刷することにより特殊潜像模様形成体を形成してもよい。
【００８９】
（実施例８）
図２５は、本発明の実施例８を説明する図である。基材１９の表面には、図６で示したものと同様の万線模様の凹版印刷隆起画線（図示せず）が付与されている。この基材１９の表面の凹版印刷隆起画線の図柄を構成する部分以外の凹版印刷隆起画線を構成する部分に対して、図２５に示すように、万線状に配列した微小文字を、部分的又は連続的に微小文字の画線幅を変化させることによって図柄を表した印刷画線３８を平行に印刷して、特殊潜像模様形成体３９が形成される。
【００９０】
この実施例８の特殊潜像模様形成体３９を正面から観察すると、図２５に示す万線状に配列した微小文字を、部分的又は連続的に微小文字の画線幅を変化させることによって図柄を表した印刷画線３８が見える。これを斜めから観察すると、実施例１と同様に、凹版印刷隆起画線の凸条部によって印刷画線３８の見えない部分が生じ、しかも印刷画線３８の微小文字の画線幅の相違によって、この視認可能な画線幅に大小が生じる。この結果、印刷画線３８に見掛け上の濃度差が生じ、全体として階調のある縞模様から成る所定の特殊潜像模様が認識できる。
【００９１】
このように、特殊潜像模様形成体３９を斜めから観察することにより、所定の特殊潜像模様が生じるか否かで真偽判別を可能とする。又、実施例８も実施例６同様に、複写機を利用しても微小文字は正確に複写されないから、この点でも偽造防止効果がすぐれている。
【００９２】
なお、上記実施例８は、万線模様の凹版印刷隆起画線に対して万線状に配列した微小文字を、部分的又は連続的に微小文字の画線幅を変化させることによって図柄を表した印刷画線を平行に印刷したが、凹版印刷隆起画線の図柄を構成する部分以外の万線模様の凹版印刷隆起画線に対して、傾斜を持たせて印刷画線を印刷することにより特殊潜像模様形成体を形成してもよい。
【００９３】
又、実施例８では、万線状に配列した微小文字を、部分的又は連続的に微小文字の画線幅を変化させることによって図柄を表す印刷画線を採用しているが、万線状に配列した白抜き微小文字、又は微小文字と白抜き微小文字双方の微小文字を、部分的又は連続的に微小文字の画線幅を変化させることによって図柄を表すような印刷画線としてもよい。
【００９４】
（実施例９）
図２６は、本発明の実施例９を説明する図である。基材１９の表面には、図６で示した同様の万線模様の凹版印刷隆起画線が付与されている。この基材１９の表面の凹版印刷隆起画線の図柄を構成する部分以外の凹版印刷隆起画線を構成する部分に対して、万線状に配列した微小文字を、部分的又は連続的に字高を変化させることによって図柄を表した印刷画線４０を平行に印刷して、特殊潜像模様形成体４１が形成される。
【００９５】
この実施例９の特殊潜像模様形成体４１を正面から観察すると、万線状に配列した微小文字を、部分的又は連続的に字高を変化させることによって図柄を表した印刷画線４０が見える。これを斜めから観察すると、実施例１と同様に、凹版印刷隆起画線の凸条部によって印刷画線４０の見えない部分が生じ、しかも印刷画線４０の微小文字の字高の相違によって、この視認可能な画線幅に大小が生じる。この結果、印刷画線４０に見掛け上の濃度差が生じ、全体として階調のある縞模様から成る所定の特殊潜像模様が認識できる。
【００９６】
このように、特殊潜像模様形成体３９を斜めから観察することにより、所定の特殊潜像模様が生じるか否かで真偽判別を可能とする。又、実施例９も実施例６同様に、複写機を利用しても微小文字は正確に複写されないから、この点でも偽造防止効果がすぐれている。
【００９７】
上記実施例９は、万線模様の凹版印刷隆起画線に対して万線状に配列した微小文字を、部分的又は連続的に微小文字の字高を変化させることによって図柄を表した印刷画線４０を平行に印刷したが、凹版印刷隆起画線の図柄を構成する部分以外の万線模様の凹版印刷隆起画線に対して、傾斜を持たせて印刷画線を印刷することにより特殊潜像模様形成体を形成してもよい。
【００９８】
なお、実施例９では、万線状に配列した微小文字を、部分的又は連続的に微小文字の字高を変化させることによって図柄を表す印刷画線を採用しているが、万線状に配列した白抜き微小文字、又は微小文字と白抜き微小文字双方の微小文字を、部分的又は連続的に微小文字の字高を変化させることによって図柄を表すような印刷画線としてもよい。
【００９９】
（実施例１０）
図示はしないが、本発明の実施例を説明する。基材の表面には、図６で示した同様の万線模様の凹版印刷隆起画線が付与されている。この基材の表面の凹版印刷隆起画線の図柄を構成する部分以外の凹版印刷隆起画線を構成する部分に対して、万線状に配列した微小文字を、部分的又は連続的に画線幅（図２５参照）及び字高（図２６参照）を変化させることによって図柄を表した印刷画線を平行に印刷して、特殊潜像模様形成体が形成される。要するに、実施例１０の特殊潜像模様形成体は、図２６の高い字高の文字をの画線幅を太くしたものに相当する。よって、以下、図２６を参考にして説明する。
【０１００】
この実施例１０の特殊潜像模様形成体を正面から観察すると（図２６を参考）、万線状に配列した微小文字を、部分的又は連続的に画線幅及び字高を変化させることによって図柄を表した印刷画線が見える。これを斜めから観察すると、実施例１と同様に、凹版印刷隆起画線の凸条部によって印刷画線の見えない部分が生じ、しかも微小文字の画線幅や字高によっては、この視認可能な画線幅に大小が生じる。
【０１０１】
この結果、印刷画線４０（図２６を参考）に見掛け上の濃度差が生じ、全体として階調のある縞模様から成る所定の特殊潜像模様が認識でき、真偽判別が可能となる。実施例１０も実施例６同様に、複写機を利用しても微小文字は正確に複写されないから、この点でも偽造防止効果がすぐれている。
【０１０２】
上記実施例１０は、万線模様の凹版印刷隆起画線に対して万線状に配列した微小文字を、部分的又は連続的に微小文字の画線幅及び字高を変化させることによって図柄を表した印刷画線を平行に印刷したが、図柄を構成する部分以外の万線模様の凹版印刷隆起画線に対して、傾斜を持たせて印刷画線を印刷することにより特殊潜像模様形成体を形成してもよい。
【０１０３】
なお、実施例１０では、万線状に配列した微小文字を、部分的又は連続的に微小文字の画線幅及び字高を変化させることによって図柄を表す印刷画線を採用しているが、万線状に配列した白抜き微小文字、又は微小文字と白抜き微小文字双方の微小文字を、部分的又は連続的に微小文字の画線幅及び字高を変化させることによって図柄を表すような印刷画線としてもよい。
【０１０４】
以上の実施例１〜１０では、基材に万線模様の凹版印刷隆起画線を形成し、これに印刷画線を印刷する例をあげたが、特に万線模様の凹版印刷隆起画線でなくても、基材にレリーフ模様の凹版印刷隆起画線を形成したもの、あるいは万線模様とレリーフ模様双方の凹版印刷隆起画線を形成したものに印刷画線を印刷した構成でもよい。
【０１０５】
このように基材に、レリーフ模様、又は万線模様とレリーフ模様双方の模様の凹版印刷隆起画線を形成した場合は、この凹版印刷隆起画線と印刷画線とで生じる模様は、万線模様の場合と異なるが、偽造防止機能については、万線模様の凹版印刷隆起画線を形成した場合と、基本的には変わらないので、夫々について説明は省略する。
【０１０６】
以上の実施例１〜１０は、基材として万線模様等の凹版印刷隆起画線を有する基材上に印刷する印刷画線の主に形状的の特徴に基づいた実施例であるが、以下、印刷画線の印刷色や印刷手法の特徴に基づく実施例を説明する。
【０１０７】
（実施例１１）
図２７は、本発明の実施例１１を説明する図であり、図２７（ａ）は平面図を、図２７（ｂ）はそのＤ−Ｄ断面図を示している。基材４２の一部又は全面に部分的に角度を異にすることによって図柄を表した万線模様の凹版印刷隆起画線４３が、一定ピッチｐ1で、凹版印刷により基材と同色又は近似した色の凹版インキで隆起して印刷され、特殊潜像模様形成体４４が形成されている。
【０１０８】
この基材４２上に、印刷画線４５が、図柄を構成する部分４６以外の凹版印刷隆起画線を構成する部分４７に対して平行に連続的に色を変化させて印刷されている。図２７（ａ）は、印刷画線の夫々についてその長手方向に、一つの色（例えば青）の濃度を連続的に変化させた印刷画線４５を印刷した例である。
図２７（ｃ）は、複数本の印刷画線にわたって、一つの色（例えば青）の濃度を連続的に変化させて印刷した例である。
【０１０９】
この実施例１１の特殊潜像模様形成体４４、４４’を正面から観察すると、図２７（ａ）、（ｃ）に示すように色が連続的に変化した万線に配列した印刷画線４５、４５’が見える。斜めから観察すると、図７において説明したと同様に、印刷画線の４５、４５’が凸条部の影となって部分的に見えないために、正面とは異なった視認可能な画線幅となり、この結果、連続的な色の変化に加え、さらに見かけ上の濃度変化を伴う特殊潜像模様が観察できる。この図柄を観察することにより、真偽判別が可能となる。
【０１１０】
なお、実施例１１では、万線模様の凹版印刷隆起画線に対して、印刷画線４５、４５’を図柄を構成する部分以外の凹版印刷隆起画線を構成する部分に対して平行に印刷したが、平行でなく角度を付けて印刷した構成としてもよい。
【０１１１】
又、実施例１１では、印刷画線４５、４５’について色が連続的に変化する構成について説明したが、印刷画線でなくても、万線状の点列、又は万線及び万線状の点列双方の印刷画線について凹版印刷隆起画線を構成する部分に対して平行又は傾斜を持たせて連続的に色を変化させて印刷する構成としてもよい。
【０１１２】
なお、実施例１１に示す印刷画線の色が連続的に変化させて印刷する構成については、実施例１〜１０における印刷画線の印刷に適用してもよい。これによると、印刷画線の形状的な特徴に加えてと色の特徴が付加されて、印刷画線を多様化することができ、さらに偽造防止効果が向上する。
【０１１３】
（実施例１２）
図２８は、本発明の実施例１２を説明する図である。図２８（ａ）にその平面図を、そのＥ−Ｅ断面を図２８（ｂ）に示すように、基材４２の一部又は全面に部分的に角度を異にすることによって図柄を表した万線模様の凹版印刷隆起画線４３が、一定ピッチｐ1で凹版印刷により基材と同色又は近似した色の凹版インキで隆起して印刷され、特殊潜像模様形成体４８が形成されている。
【０１１４】
この基材４２上に、図２８（ａ）に示す特殊潜像模様形成体４８では、印刷画線４９が、図柄を構成する部分以外の凹版印刷隆起画線を構成する部分に対して平行に部分的に色を変化させて印刷されている。又、図２８（ｃ）に示す特殊潜像模様形成体４８’では、基材４２上に、印刷画線４９’を、複数の色（例えば赤、緑、黄、青）で部分的に変化させて印刷されている。
【０１１５】
この実施例１２の特殊潜像模様形成体４８、４８’を正面から観察すると、図２８（ａ）、（ｃ）に示すように部分的に変化した印刷画線４９、４９’が見える。斜めから観察すると、印刷画線が一部凹凸の陰となり見えないために、又凹版印刷隆起画線と印刷画線４９、４９’がなす縞模様が生じ、さらに正面とは異なった視認可能な画線幅となり、この結果、断続的な色の変化に加え、見かけ上の濃度変化を伴う特殊潜像模様が観察できる。この特殊潜像模様が観察できる。この図柄を観察することにより、真偽判別が可能となる。
【０１１６】
なお、実施例１２（ａ）では、印刷画線を、図柄を構成する部分以外の凹版印刷隆起画線を構成する部分に対して平行に印刷したが、図２２（ｃ）に示すように、印刷画線４９、４９’を平行でなく角度を付けて印刷した構成としてもよい。
【０１１７】
又、実施例１２では、印刷画線４９、４９’について色が部分的に変化する構成について説明したが、印刷画線でなくても、万線状の点列、又は万線と万線状の点列双方の印刷について凹版印刷隆起画線を構成する部分に対して平行又は傾斜を持たせて部分的に色を変化させて印刷する構成としてもよい。
【０１１８】
なお、実施例１２に示す印刷画線の色を部分的に変化させて印刷する構成については、実施例１〜１０における印刷画線の印刷に適用してもよい。これによると、印刷画線の形状的な特徴に加えて色の特徴が付加されて、印刷画線を多様化することができ、さらに偽造防止効果が向上する。
【０１１９】
以上の実施例１〜１２における印刷画線の印刷色は、無色透明又は基材の色と同じでは識別ができないから、このような色は除かれる。但し、実施例１〜１０については、無色透明又は基材と同色でも、ＵＶ光を照射することにより発光するものであれば識別が可能で本発明の真偽判別の効果を奏することができる。
【０１２０】
このようなことを考慮すると、実施例１〜１２における印刷画線は、次のインキにより印刷される。
▲１▼基材の色以外の有色インキ
▲２▼基材の色以外の有色の発光インキ
さらに、実施例１〜１０については、無色透明又は基材と同色の発光インキが利用可能である。
【０１２１】
なお、▲３▼において、印刷画線を無色透明な発光インキ色で印刷する場合は、印刷画線の上又は下部に地紋画線を印刷すると、地紋への注目が増して、かえって発光インキによる無色透明な印刷画線による偽造防止効果が向上する。
【０１２２】
以上、本発明の実施の形態を実施例に基づいて説明したが、本発明は、上記実施例に限定されることなく、特許請求の範囲記載の技術的事項の範囲内でいろいろな実施の形態があることは言うまでもない。
【０１２３】
【発明の効果】
本発明に係る特殊潜像模様形成体は、以上のような構成であるから、凹版印刷隆起画線と交差する印刷画線の形状、デザイン、色彩等をいろいろと工夫することにより、斜めに観察した場合に生じる特殊潜像模様に階調を付与させる等、多様化させて、偽造、変造、改竄等しにくくし、偽造防止効果を高めることができる。又、かつ極めて容易に特定の文字、図柄などの有無が認識できる
【０１２４】
又、本発明に係る特殊潜像模様形成体は、公共性及び信頼性が要求される貴重印刷製品、例えば銀行券、パスポート、有価証券、カードなどの真偽の判別に際して、ある特定の方向から観察する時にのみ、特定の文字、図柄などを形成し、かつ極めて容易に特定の文字、図柄などの有無が認識できる。
【０１２５】
さらに、本発明に係る特殊潜像模様形成体は、カラー複写機及び写真製版法によって偽造しようとしても、隆起した画線の抽出が困難であり、万線画線、万線状点列又は万線画線と万線状点列双方の画線と地紋画線しか再現されず、複製物には複雑なモアレなどが発生するため文字、図柄などの認識ができない。
【０１２６】
このようにして、本発明に係る特殊潜像模様形成体は、隆起した画線、万線画線などを印刷機上で精度よく刷り合わせることによって高品質な潜像印刷物が作製でき、精密で複雑な模様を組み込んだ潜像印刷物が作製でき、また、印刷画線に潜像となる図柄とは異なる有意性のある図柄を付与できるために印刷画線に制約がなく、印刷面積の限られた高度な印刷の要求される貴重印刷製品、例えば銀行券、パスポート、有価証券、カードなどへの利用にきわめて有効である。
【図面の簡単な説明】
【図１】    従来技術を説明する図である。
【図２】    従来技術を説明する図である。
【図３】    従来技術を説明する図である。
【図４】    従来技術を説明する図である。
【図５】    従来技術を説明する図である。
【図６】    本発明の基本的な構成を説明する図である。
【図７】      図６記載の構成の作用を説明する図である。
【図８】      図６記載の構成の作用を説明する図である。
【図９】    本発明の構成を説明する図である。
【図１０】      図９記載の構成の作用を説明する図である。
【図１１】      図９記載の構成の作用を説明する図である。
【図１２】    本発明の構成を説明する図である。
【図１３】      図１２記載の構成の作用を説明する図である。
【図１４】      図１２記載の構成の作用を説明する図である。
【図１５】    本発明の構成を説明する図である。
【図１６】      図１５記載の構成の作用を説明する図である。
【図１７】      図１５記載の構成の作用を説明する図である。
【図１８】    本発明の実施例１を説明する図である。
【図１９】    本発明の実施例２を説明する図である。
【図２０】    本発明の実施例３を説明する図である。
【図２１】    本発明の実施例４を説明する図である。
【図２２】      本発明の実施例５を説明する図である。
【図２３】    本発明の実施例６を説明する図である。
【図２４】    本発明の実施例７を説明する図である。
【図２５】    本発明の実施例８を説明する図である。
【図２６】      本発明の実施例９を説明し、実施例１０の参考とする図である。
【図２７】    本発明の実施例１１を説明する図である。
【図２８】    本発明の実施例１２を説明する図である。
【符号の説明】
_
１    万線模様    _
２    万線画線
３    レリーフ模様_
４    紙_
５、４２    基材_
６、４６    部分的に角度の異なる部分（屈曲部）_
７、４３    凹版印刷隆起画線_
８    平坦面_
９    凸条部_
１０、１２、１４、１６、２１、２３、２６、２９、３２、３４、３６、３８、４０、４５、４５’、４９、４９’    印刷画線_
１１、１３、１５、１７    特殊潜像模様
４７    部分的に角度の異なる部分以外の部分
１８−１、１８−２、１８−３、１８−４、２２、２４、２７、３０、３３、３５、３７、３９、４１、４４、４４’、４８、４８’  特殊潜像模様形成体
１９   基材
２５、２８、３１   点列
【図１】
0004734615.tif 000002
【図２】
0004734615.tif 000003
【図３】
0004734615.tif 000004
【図４】
0004734615.tif 000005
【図５】
0004734615.tif 000006
【図６】
0004734615.tif 000007
【図７】
0004734615.tif 000008
【図８】
0004734615.tif 000009
【図９】
0004734615.tif 000010
【図１０】
0004734615.tif 000011
【図１１】
0004734615.tif 000012
【図１２】
0004734615.tif 000013
【図１３】
0004734615.tif 000014
【図１４】
0004734615.tif 000015
【図１５】
0004734615.tif 000016
【図１６】
0004734615.tif 000017
【図１７】
0004734615.tif 000018
【図１８】
0004734615.tif 000019
【図１９】
0004734615.tif 000020
【図２０】
0004734615.tif 000021
【図２１】
0004734615.tif 000022
【図２２】
0004734615.tif 000023
【図２３】
0004734615.tif 000024
【図２４】
0004734615.tif 000025
【図２５】
0004734615.tif 000026
【図２６】
0004734615.tif 000027
【図２７】
0004734615.tif 000028
【図２８】
0004734615.tif 000029